【手続補正書】
【提出日】平成27年10月27日(2015.10.27)
【手続補正１】
【補正対象書類名】特許請求の範囲
【補正対象項目名】全文
【補正方法】変更
【補正の内容】
【特許請求の範囲】
【請求項１】
第１の耐食性を持つ第１のセグメントと、
前記第１の耐食性よりも小さい第２の耐食性を持つ第２のセグメントとを有するグリッドワイヤを備える電池グリッドであって、
前記第２のセグメントは前記第１のセグメントの腐食速度よりも大きい速度で腐食し、
前記第２のセグメントは二次的な変形によって形成されている、電池グリッド。
【請求項２】
前記グリッドワイヤは、第１のセグメントのパターンを形成する、複数のグリッドワイヤの１つである、請求項１に記載の電池グリッド。
【請求項３】
前記パターンの中の予め選択された位置に第２のセグメントがある、請求項２に記載の電池グリッド。
【請求項４】
前記第２のセグメントには異なる度合いの耐食性がある、請求項３に記載の電池グリッド。
【請求項５】
上部、第１側部、第２側部、及び底部を有するフレームを更に含み、前記上部はラグを有する、請求項２に記載の電池グリッド。
【請求項６】
前記グリッドワイヤの前記パターンは、１つの放射点から発している、請求項５に記載の電池グリッド。
【請求項７】
前記放射点は前記フレームの境界の外にある、請求項６に記載の電池グリッド。
【請求項８】
前記二次的な変形は形状の違いを与える、請求項１に記載の電池グリッド。
【請求項９】
前記二次的な変形は厚さの違いを与える、請求項１に記載の電池グリッド。
【請求項１０】
前記二次的な変形は密度の違いを与える、請求項１に記載の電池グリッド。
【請求項１１】
前記二次的な変形は熱処理の違いを与える、請求項１に記載の電池グリッド。
【請求項１２】
前記二次的な変形は穿孔を与える、請求項１に記載の電池グリッド。
【請求項１３】
前記二次的な変形は、前記グリッドワイヤ中の微細構造が前記第１のセグメントとは異なる、請求項１に記載の電池グリッド。
【請求項１４】
前記二次的な変形は、前記グリッドワイヤの１つの側にある、請求項１に記載の電池グリッド。
【請求項１５】
前記二次的な変形は、前記グリッドワイヤの２つ以上の側にある、請求項１に記載の電池グリッド。
【請求項１６】
前記第２のセグメントは、使用寿命の期間内に前記電池グリッドの内部応力を動的に解放するように選択的に配置される、請求項１に記載の電池グリッド。
【請求項１７】
請求項１に記載の電池グリッドを備える電池。
【手続補正２】
【補正対象書類名】明細書
【補正対象項目名】００５４
【補正方法】変更
【補正の内容】
【００５４】
上記のように、二次変形１４０、又は所定の又は異なる耐食性の領域が、グリッド１０２上と選択されたグリッドワイヤ１２０上に選択的に配置されてもよい。二次変形１４０が放射状に延伸するグリッドワイヤ１２８及び／又は横断ワイヤ１３２上に与えられてもよい。グリッド１０２には、１つ又は２つ以上の二次変形セグメント１４０又は耐食性の異なる領域が設けられてもよい。例えば、複数の二次セグメントがグリッド上に設けられてもよい。二次変形又は複数の二次変形が、グリッドワイヤの１つの側にあってもよいし、グリッドワイヤの２つ以上の側にあってもよい。例えば、二次変形が、グリッドワイヤの反対の面同士の同一位置又は異なる位置にあってもよい。
【手続補正３】
【補正対象書類名】明細書
【補正対象項目名】０１０９
【補正方法】変更
【補正の内容】
【０１０９】
本発明は上記で概略した実施形態の実施例との関連で説明したが、既知であるか、現時点で予知されるか又は予知可能であるかに拘わらず、種々の代替、修正、変更、改善、及び／又は実質的な等価物が当業者には明らかとなるであろう。従って、本発明の実施形態の実施例は、前述したように説明のためのものであって、制限することを意図していない。本発明の精神と範囲から逸脱することなしに、様々な変更がなされてもよい。従って、本発明は、全ての既知又はこれまでに開発された代替物、修正物、変更物、改良物及び／又は実質的等価物を含むことを意図している。
付記１
第１の耐食性を持つ第１のセグメントと、
前記第１の耐食性よりも小さい第２の耐食性を持つ第２のセグメントとを有するグリッドワイヤを備える電池グリッドであって、
前記第２のセグメントは前記第１のセグメントの腐食速度よりも大きい速度で腐食し、
前記第２のセグメントは二次的な変形によって形成されている、電池グリッド。
付記２
前記グリッドワイヤは、第１のセグメントのパターンを形成する、複数のグリッドワイヤの１つである、付記１に記載の電池グリッド。
付記３
前記パターンの中の予め選択された位置に第２のセグメントがある、付記２に記載の電池グリッド。
付記４
前記第２のセグメントには異なる度合いの耐食性がある、付記３に記載の電池グリッド。
付記５
上部、第１側部、第２側部、及び底部を有するフレームを更に含み、前記上部はラグを有する、付記２に記載の電池グリッド。
付記６
前記ワイヤのパターンは、１つの放射点から発している、付記２に記載の電池グリッド。
付記７
前記放射点は前記フレームの境界の外にある、付記６に記載の電池グリッド。
付記８
前記二次変形は形状の違いを与える、付記１に記載の電池グリッド。
付記９
前記二次変形は厚さの違いを与える、付記１に記載の電池グリッド。
付記１０
前記二次変形は密度の違いを与える、付記１に記載の電池グリッド。
付記１１
前記二次変形は熱処理の違いを与える、付記１に記載の電池グリッド。
付記１２
前記二次変形は穿孔を与える、付記１に記載の電池グリッド。
付記１３
前記二次変形は、前記グリッドワイヤ中の微細構造が前記第１のセグメントとは異なる、付記１に記載の電池グリッド。
付記１４
前記二次変形は、前記グリッドワイヤの１つの側にある、付記１に記載の電池グリッド。
付記１５
前記二次変形は、前記グリッドワイヤの２つ以上の側にある、付記１に記載の電池グリッド。
付記１６
前記第２のセグメントは、使用寿命の期間内に前記電池グリッドの内部応力を動的に解放するように選択的に配置される、付記１に記載の電池グリッド。
付記１７
付記１に記載の電池グリッドを備える電池。
付記１８
パターン状のグリッドワイヤから成る電池グリッドであって、前記パターンは
第１の耐食性を示す第１の微細構造を有する複数の第１のセグメントと、
第２の耐食性を示す第２の微細構造を有する第２のセグメントと、
を有する、電池グリッド。
付記１９
前記第１の微細構造は第１の結晶構造で形成され、各結晶内の金属原子は結晶格子系に整然と配列されている、付記１８に記載の電池グリッド。
付記２０
前記第２の微細構造は、結晶粒構造の変化、第１の結晶構造の再結晶、材料強度の変化、及びそれらの組合せから成る群から選択される第２の結晶構造である、付記１９に記載の電池グリッド。
付記２１
上部と第１側部と第２側部と底部とを有するフレームを持った、打抜きの正極電池グリッドを備える鉛蓄電池であって、
前記上部はラグを有し、さらに、
複数のグリッドワイヤが前記フレーム内に第１の耐食性を有するパターン状の第１のセグメントと、前記パターンの事前選択位置に第２の耐食性を有する第２のセグメントとを形成し、
前記第２のセグメントは前記第１のセグメントの腐食速度よりも大きい速度で腐食するようになっており、
前記第２のセグメントは二次変形によって形成されている、鉛蓄電池。
付記２２
前記正極電池グリッドは平板である、付記２１に記載の電池。
付記２３
前記二次変形は、前記グリッドを形成する第１の打抜きの後に打抜きを反復して形成される、付記２１に記載の電池。
付記２４
前記グリッドワイヤは、１つの放射点から発するパターンを形成する、付記２１に記載の電池。
付記２５
前記第２のセグメントは、グリッドの成長を最小化するように、選択的に配置される、付記２１に記載の電池。
付記２６
前記第２のセグメントは、使用寿命の期間内に、前記電池グリッドの内部応力を動的に解放するように、選択的に配置される、付記２５に記載の電池。
付記２７
前記電池はＳＬＩ型である、付記２１に記載の電池。
付記２８
前記電池は吸収ガラスマット電池である、付記２１に記載の電池。
付記２９
パターン状のグリッドワイヤを有する正極電池グリッドを備える電池であって、
前記パターンは第１のセグメントと第２のセグメントのグリッドワイヤを含み、
前記第２のセグメントは二次変形により形成されて前記パターン内に選択的に配置され、かつ前記グリッドの残りの部分に比べて壊れやすくなっている、電池。
付記３０
前記第２のセグメントは、前記電池内の環境条件に置かれた場合に壊れやすい、付記２９に記載の電池。
付記３１
前記環境条件には、前記電池グリッドの腐食性が含まれる、付記２９に記載の電池。
付記３２
前記環境条件は、電池筐体内の前記電池グリッドの成長に起因する内部応力を含む、付記２９に記載の電池。
付記３３
前記第２のセグメントは、より小さな耐食性により、前記グリッドの残りの部分に比べて壊れやすい、付記２９に記載の電池。
付記３４
前記第２のセグメントは、物理的性質の違いにより、前記グリッドの残りの部分に比べて壊れやすい、付記２９に記載の電池。
付記３５
前記第１のセグメントと前記第２のセグメントは、耐食性の違いをもたらすように、物理的性質の違いを有する、付記３４に記載の電池。
付記３６
前記物理的性質の違いは微細構造の違いである、付記３５に記載の電池。
付記３７
前記物理的性質の違いは厚さの違いである、付記３５に記載の電池。
付記３８
前記物理的性質の違いは形状の違いである、付記３５に記載の電池。
付記３９
前記物理的性質の違いは密度の違いである、付記３５に記載の電池。
付記４０
前記物理的性質の違いは熱処理の違いである、付記３５に記載の電池。
付記４１
前記電池グリッドは、上部と第１側部と第２側部と底部とを有するフレームを備え、前記上部はラグを有し、前記グリッドワイヤは１つの放射点から発するパターンを形成している、付記２９に記載の電池。
付記４２
上部と第１側部と第２側部と底部とを有するフレームを持った、打抜きの正極電池グリッドを備える鉛蓄電池であって、
前記上部はラグを有し、さらに、
複数のグリッドワイヤが、前記フレーム内にパターンと、その使用寿命の間グリッドの成長を最小化するために前記グリッドワイヤを選択的に腐食させる手段とを形成する、鉛蓄電池。
付記４３
上部と第１側部と第２側部と底部とを有するフレームをそれぞれに持った、複数の打抜き正極電池グリッドを備える鉛蓄電池であって、
前記上部はラグを有し、さらに、
複数のグリッドワイヤは各フレーム内で相互に接続されてその間に隙間を形成し、
正極電池グリッド板は負極電池グリッド板と交互に配置されてその間にセパレータを挟んでスタックを形成し、
前記スタックは電池筐体内に納まり、
前記正極電池グリッド板のグリッドワイヤは、前記グリッドワイヤ上の一つ又は複数の事前選択位置に付与された二次変形を有する、鉛蓄電池。
付記４４
前記一つ又は複数の事前選択位置にある二次変形は壊れやすくなっており、前記筐体内での前記正極電池グリッド板の予想される成長に起因する応力を解放するように配置されている、付記４３に記載の鉛蓄電池。
付記４５
電池グリッド板の各々にはｘ個の隙間があり、前記隙間の各々はグリッドワイヤの連続する長さで囲まれ、前記正極グリッド板が筐体内で予想される成長をした後には隙間の数はｘ個より少ない、付記４３に記載の鉛蓄電池。
付記４６
前記グリッドワイヤは、腐食を受けた場合、前記グリッドワイヤの他の部分よりも先に前記二次変形の位置で壊れやすくなっている、付記４３に記載の鉛蓄電池。
付記４７
前記一つ又は複数の事前選択位置は、前記グリッドワイヤの他の部分よりも腐食を受けやすい、付記４３に記載の鉛蓄電池。
付記４８
上部と第１側部と第２側部と底部とを有するフレームをそれぞれに持った、複数の打抜き正極電池グリッドを備える鉛蓄電池であって、
前記上部はラグを有し、さらに、
複数のグリッドワイヤは各フレーム内で相互に接続されてその間に隙間を形成し、
正極電池グリッド板は負極電池グリッド板と交互に配置されてその間にセパレータを挟んでスタックを形成し、
前記スタックは電池筐体内に納まり、
前記正極電池グリッド板の前記グリッドワイヤは、前記グリッドワイヤ内の事前選択位置に、より腐食を受けやすい異なる微細構造を形成された、鉛蓄電池。
付記４９
前記事前選択位置にある二次変形は壊れやすく、前記筐体内での前記正極電池グリッド板の予想される成長に起因する応力を解放するように配置されている、付記４８に記載の鉛蓄電池。
付記５０
電池グリッド板の各々にはｘ個の隙間があり、前記隙間の各々はグリッドワイヤの連続する長さで囲まれ、前記正極グリッド板が筐体内で予想される成長をした後には隙間の数はｘ個より少ない、付記４８に記載の鉛蓄電池。
付記５１
パターン状のグリッドワイヤを備える電池グリッドであって、
前記グリッドワイヤは
一次変形により形成された第１のセグメントと、
一次変形と二次変形とで形成された第２のセグメントと、
を含み、
前記第２のセグメントは前記第１のセグメントよりも高速で腐食する、電池グリッド。
付記５２
前記グリッドワイヤは複数の第１のセグメントを含む、付記５１に記載の電池グリッド。
付記５３
前記グリッドワイヤは複数の第２のセグメントを含む、付記５１に記載の電池グリッド。
付記５４
前記第２のセグメントは、前記パターンの中の事前選択位置に提供される、付記５１に記載の電池グリッド。
付記５５
前記二次変形は、前記一次変形とは異なるセグメント形状を与える、付記５１に記載の電池グリッド。
付記５６
前記二次変形は、前記一次変形とは異なるセグメント厚さを与える、付記５１に記載の電池グリッド。
付記５７
前記二次変形は、前記一次変形とは異なるセグメント密度を与える、付記５１に記載の電池グリッド。
付記５８
前記二次変形は、前記一次変形とは異なるセグメントの熱処理を与える、付記５１に記載の電池グリッド。
付記５９
電池グリッドを形成する方法であって、
パターン状のグリッドワイヤを有する電池グリッドを形成することと、
前記パターン状グリッドワイヤ内のグリッドワイヤの断面角部を修正することと、
グリッドワイヤセグメントが前記パターン内の他のグリッドワイヤセグメントとは異なる耐食性を有し、１つのグリッドワイヤセグメントが前記パターン状グリッドワイヤの他のグリッドワイヤセグメントの腐食速度よりも大きい速度で腐食するように、前記パターン状グリッドワイヤ内の前記グリッドワイヤセグメントを修正することと、
を含む、方法。
付記６０
形成するステップが、打抜き電池グリッドを形成するためのグリッド材料の打抜きを含む、付記５９に記載の方法。
付記６１
段階的なパンチング操作を更に含む、付記５９に記載の方法。
付記６２
前記グリッドワイヤの断面角部を修正するステップと前記グリッドワイヤセグメントを修正するステップとは圧印加工型で行われる、付記５９に記載の方法。
付記６３
前記グリッドワイヤの断面を修正するステップと前記グリッドワイヤセグメントを修正するステップは同時に行われる、付記５９に記載の方法。
付記６４
前記電池グリッドを形成する前に前記グリッド材料の厚さを低減する複数のローラにグリッド材料を供給することを更に含む、付記５９に記載の方法。